(57)【特許請求の範囲】
【請求項１】
前扉と後扉とからなる引戸を摺動可能に吊持し、引戸収容位置に配置する一方、開閉時は、前記引戸の下部側をガイド機構で案内しながら前記前扉を開閉方向にスライドさせると、遅れて連動する前記後扉を摺動させて開口部を開閉する連動式引吊戸装置において、
前記ガイド機構は、
上下にレール体をスライド可能に重ねて一側のレール体に対し他側のレール体を伸縮自在に連結してなるスライドレールを用い、該スライドレールの一側レール体を床面上の前記引戸収容位置に固着し、他側レール体の戸先側前端にガイドローラを上向きに取り付ける一方、前記前扉の下框部にガイド溝を長さ方向に設けるとともに、そのガイド溝に前記ガイドローラを転動自在に係合し、ガイドローラ位置を、前記前扉のスライド動作に応じて開閉方向前後に移動可能に構成してなる、連動式引吊戸装置。
【請求項２】
前扉と後扉とからなる引戸を摺動可能に吊持し、引戸収容位置に配置する一方、開閉時は、前記引戸の下部側をガイド機構で案内しながら前記前扉を開閉方向にスライドさせると、遅れて連動する前記後扉を摺動させて開口部を開閉する連動式引吊戸装置において、
前記ガイド機構は、
上下にレール体をスライド可能に重ねて一側のレール体に対し他側のレール体を伸縮自在に連結してなるスライドレールを用い、該スライドレールの一側レール体を前記前扉の下框部に固着し、他側レール体の戸尻側後端にガイドローラを下向きに取り付ける一方、床面上の前記引戸収容位置に断面溝状の長尺なガイドケースを開閉方向に固着するとともに、そのガイドケース内に前記ガイドローラを転動自在に係合し、ガイドローラ位置を、前記前扉のスライド動作に応じて開閉方向前後に移動可能に構成してなる、連動式引吊戸装置。
【発明の詳細な説明】
【０００１】
【発明の属する技術分野】
本発明は、前扉と後扉とからなる引戸を摺動可能に吊持し、開閉時は、引戸の下部をガイド機構で案内しながら前扉を開閉方向にスライドさせると、遅れて連動する後扉を摺動させて開口部を開閉する連動式引吊戸装置に関する。
【０００２】
【従来の技術】
従来、この種の連動式引吊戸装置は、たとえば図１２に示すように、引戸を後扉ａと前扉ｂの２体に分けて構成し、両扉ａ・ｂの上框部の戸尻側と戸先側に吊車体１を搭載し、それら吊車体１の戸車１ａを戸枠ｅの上部に固着したガイドレール２に転動自在に係合して両扉ａ・ｂを吊持し、開時は、引戸収容位置ｄにおいて壁ｗの横に重ねて配列した構造になっている。
【０００３】
このような従来の連動式引吊戸装置には、両扉ａ・ｂの下框部にチャンネル部材３・４を凹設して長さ方向にガイド溝３ａ・４ａを形成する一方、それらガイド溝３ａ・４ａにガイドローラ５・６を転動自在に嵌め込んで、引戸の下部側を案内するガイド機構ｇを備えている。このガイド機構ｇにおいて、壁ｗに対し奥側の後扉ａを案内するガイドローラ５は、引戸収容位置ｄの戸先側で床面ｆ上に立設し、手前側の前扉ｂを案内するガイドローラ６は、後扉ａの戸先側に固着したアングルプレート７の曲げ板片７ａ上に立設している。
【０００４】
そして、開閉時は、壁ｗに対し前扉ｂを開閉方向にスライドさせると、続いて後扉ａが連動して摺動することにより、開口部を開閉するようになっている。
【０００５】
【発明が解決しようとする課題】
ところが、上述のような従来の連動式引吊戸装置では、開閉時、引戸の上部側は、ガイドレール２に対し長さ方向左右の２点で戸車１ａを移動させて案内するが、下部側は、ガイド溝３ａ・４ａに対し、それぞれ片側の１点でのみガイドローラ５・６を係合して案内する構造である。したがって、閉止時、両扉ａ・ｂを順次引き出してスライドさせるときに、図１３中鎖線で示すように、引戸の下部側が、最も戸尻側で固定のガイドローラ５を基点として大きく横振れを起し、その結果、引戸開閉の操作性が極めて悪いという問題があった。
【０００６】
そこで、従来、他の連動式吊戸装置の中に、図示省略するが、前後扉の下框部に、それぞれ戸車を枢支する一方、開口部下方の床面上には、前後扉用の走行路（敷居部）上にガイドレールを敷設し、これらガイドレールの凹溝に戸車を係合し、開閉時に、引戸の下部側が横振れしないように案内する構造にしたものがある。
【０００７】
しかし、この従来の連動式引吊戸装置では、敷居部上に複数のレール用の長溝を凹設し、そこにガイドレールをいちいち敷設する必要があり、それだけガイド機構全体の構築に著しく手間を要し、しかも、床面上にガイドレールが突出し、その段差が車椅子等の通行の障害になってバリアフリー化の妨げにもなるという課題があった。
【０００８】
そこで、本発明の目的は、連動式引吊戸装置において、引戸下部のガイド機構を組み付ける手間を少なくし、且つ開口部でのバリアフリー化の妨げにならず、開閉時の引戸の横振れ発生を防止して開閉操作性を良好にすることにある。
【０００９】
【課題を解決するための手段】
したがって、請求項１に記載の発明は、上述した目的を達成すべく、たとえば以下に示す図示実施の形態のとおり、前扉Ａと後扉Ｂとからなる引戸１０を摺動可能に吊持し、引戸収容位置Ｄに配置する一方、開閉時は、前記引戸１０の下部側をガイド機構Ｇで案内しながら前記前扉Ａを開閉方向にスライドさせると、遅れて連動する前記後扉Ｂを摺動させて開口部Ｓを開閉する連動式引吊戸装置において、前記ガイド機構Ｇは、上下にレール体をスライド可能に重ねて一側のレール体に対し他側のレール体を伸縮自在に連結してなるスライドレールＲ３を用い、該スライドレールＲ３の一側レール体を床面Ｆ上の前記引戸収容位置Ｄに固着し、他側レール体の戸先側前端にガイドローラ４５を上向きに取り付ける一方、前記前扉Ａの下框部１３にガイド溝１９を長さ方向に設けるとともに、そのガイド溝１９に前記ガイドローラ４５を転動自在に係合し、ガイドローラ位置を、前記前扉Ａのスライド動作に応じて開閉方向前後に移動可能に構成してなることを特徴とする。
【００１０】
請求項２に記載の発明は、たとえば以下に示す図示実施の形態のとおり、前扉Ａと後扉Ｂとからなる引戸１０を摺動可能に吊持し、引戸収容位置Ｄに配置する一方、開閉時は、前記引戸１０の下部側をガイド機構Ｇで案内しながら前記前扉Ａを開閉方向にスライドさせると、遅れて連動する前記後扉Ｂを摺動させて開口部Ｓを開閉する連動式引吊戸装置において、前記ガイド機構Ｇは、上下にレール体をスライド可能に重ねて一側のレール体に対し他側のレール体を伸縮自在に連結してなるスライドレールＲ３を用い、該スライドレールＲ３の一側レール体を前記前扉Ａの下框部１３に固着し、他側レール体の戸尻側後端にガイドローラ４５を下向きに取り付ける一方、床面Ｆ上の前記引戸収容位置Ｄに断面溝状の長尺なガイドケース５０を開閉方向に固着するとともに、そのガイドケース５０内に前記ガイドローラ４５を転動自在に係合し、ガイドローラ位置を、前記前扉Ａのスライド動作に応じて開閉方向前後に移動可能に構成してなることを特徴とする。
【００１１】
【発明の実施の形態】
以下、図面を参照しつつ、本発明の実施の形態について説明する。
【００１２】
図１は、本発明の一例である連動式引吊戸装置を引戸の開状態において示す縦断面図、図２は斜視図、図３は正面図である。図示例の連動式吊戸装置で開閉する引戸１０は、一方の前扉（外扉）Ａと、前扉Ａ内に収納する他方の後扉（内扉）Ｂの２体に分けて構成する収納式の引戸である。
【００１３】
前扉Ａは、取っ手ｇを取り付けた正面と背面側の板面部１１・１１と、横細長な上下の框部１２・１３と、縦細長な前側面部１４とを有する一方、後側面部を開放して扉出入部を形成した全体に薄箱状に組み立ててなる。特に下框部１３は、両板面部１１・１１の下縁に取り付けた金属製のガイドフレームにより形成する。ガイドフレーム１３は、全体に略チャネル状に曲げ成形し、断面コ形状のレール固定部１３ａと、レール固定部１３ａの両側縁から断面Ｌ形に外向きに曲げ延びる取付縁１３ｂと、長さ方向両端部を対向する向きに屈曲させたストッパ折曲片１３ｃ・１３ｄとを設けてなる。
【００１４】
そして、ガイドフレーム１３は、レール固定部１３ａを両板面部１１・１１間に入り込ませて、取付縁１３ｂを両板面部１１・１１の下縁１１ａに固着して前扉Ａの下框部を形成すると共に、後述のガイドローラ４５を嵌め込むガイド溝１９を下向きに形成してなる。斯かる前扉Ａには、上框部１２の戸先側に、吊車体１５を搭載している。吊車体１５には、上框部１２上に立ててボルト止めしたアングルプレート１６に、戸車１７を縦向きに組み付けている。
【００１５】
一方、後扉Ｂは、正面側と背面側の板面部２０・２０と、横長な上下の框部２１・２２と、縦長な前後の側面部２３・２４とで、前扉Ａに対し扉出入部から出し入れ可能な厚さの薄箱状に組み立ててなる。上下の框部２１・２２は、それぞれ金属製の取付フレームにより形成する。取付フレーム２１・２２は、共に断面コ形に曲げ成形し、レール固定板部２１ａ・２２ａと、レール固定板部の両側縁から断面Ｌ形に曲げ延びる取付片部２１ｂ・２２ｂを有してなる。そして、両板面部２０・２０間の一段奥側で、互いの取付片部２１ｂ・２２ｂが対向する向きで両板面部２０に固着して上下の框部２１・２２を形成してなる。斯かる後扉Ｂには、上框部２１の戸尻側に吊車体２５を搭載している。吊車体２５には、取付ブラケット２６を介して上框部２１の戸尻側にボルト止めしたアングルプレート２７に、戸車２８を縦向きに組み付けている。
【００１６】
さて、図示例の引戸１０は、特に、上述した前扉Ａと後扉Ｂの上框部１２・２１および下框部１３・２２にそれぞれ、スライドレールＲ１・Ｒ２を取り付け、それらスライドレールＲ１・Ｒ２で両扉Ａ・Ｂを相互に摺動可能に連結して一体化してなる。
【００１７】
スライドレールＲ１・Ｒ２は、図４に示すような長尺な金属製スライドレール単体ｒを２本使用し、それぞれダブルスライドレール構造になっている。スライドレール単体ｒは、両側縁に内向きに湾曲した長手な係合部３０ａを有するアウターレール３０と、両側縁に外向きに湾曲した同じく長手な係合部３１ａを有するインナーレール３１とを、互いの係合部３０ａ・３１ａにおいて、ボールリテナー３２で転動可能に保持した多数の金属製ボール３３を介して係合し、両レール３０・３１を互いにスライド自在に連結した構造になっている。なお、アウターレール３０には、長さ方向両端に、スライド範囲を規制するストッパ折曲片３０ｂを有する。一方、インナーレール３１には、長さ方向片側に、同じくストッパ折曲片を有してなる。
【００１８】
そこで、スライドレールＲ１・Ｒ２は、それぞれ図１に示すように、互いのインナーレール３１・３１′を背中合せに重ねて、溶接により２本のスライドレール単体ｒを一体化して組み立ててなる。そして、上框部１２・２１に取り付けるスライドレールＲ１は、前扉Ａの上框部１２の内面に、上側のスライドレール単体ｒのアウターレール３０をねじで固着する。下側のスライドレール単体ｒのアウターレール３０′は、後扉Ｂの上框部２１の外面にねじで固着する。
【００１９】
下框部１３・２２に取り付けるスライドレールＲ２は、後扉Ｂの下框部２２の外面に、上側のスライドレール単体ｒのアウターレール３０をねじで固着する。下側のスライドレール単体のアウターレール３０′は、前扉Ａの下框部１３の外面にねじで固着する。したがって、スライドレールＲ１・Ｒ２は、図５に示すように、下側で固定のアウターレール３０′に対し一体のインナーレール３１・３１′をスライド自在とし、さらにインナーレール３１・３１′と上側のアウターレール３０とを互いにスライド自在とする２段スライド構成にし、それだけスライドストロークを長くしたダブルスライドレール構造になっている。
【００２０】
加えて、図示例において、スライドレールＲ１・Ｒ２は、図１〜図３に示すように、前扉Ａと後扉Ｂの上框部１２・２１および下框部１３・２２にそれぞれ取り付けて、それら上下框部を補強する支持フレームとしても機能し、それだけ前扉Ａおよび後扉Ｂの剛性が高められる構造になっている。
【００２１】
上述の如くスライドレールＲ１・Ｒ２で一体的に連結した前扉Ａおよび後扉Ｂは、各々の戸車１７・２８を、戸枠Ｅの上部に固定した走行用ガイドレール３５に転動可能に係合してガイドレール３５でスライド自在に吊持する。そして、前扉Ａおよび後扉Ｂは、開口部Ｓの開時、壁Ｗに沿って形成した引戸収容位置Ｄにおいて、前扉Ａの中に後扉Ｂを収納した状態で、引戸１０としてガイドレール３５に懸架している。
【００２２】
なお、引戸１０において、一方の後扉Ｂに搭載した吊車体２５には、図６に示すとおり、戸車２８にそれと同軸に大歯車部２８ａを設ける一方、同じアングルプレート２７に、戸車２８の回転を制動する制動手段４０を組み付けている。制動手段４０は、支持板４１で支持し、該支持板を介してアングルプレート２７に取り付けている。制動手段４０は、円筒ケース４０ａ内に、図示省略するが、円筒ケース４０ａの内周面と僅かに間隙をあけてロータを回転自在に収納し、この間隙にシリコンオイルを充填して密封し、ロータが回転するとシリコンオイルの粘性抵抗により制動トルクが発生する構造になっている。
【００２３】
そこで、制動手段４０は、上記ロータに有するロータ軸４０ｂの先端を、円筒ケース４０ａから戸車２８側に突出させて小歯車４０ｃに嵌挿し、小歯車４０ｃを、戸車２８の大歯車部２８ａに噛み合せている。そして、後扉Ｂが開閉方向にスライドし、戸車２８の回転力が前記ロータに伝達されると、制動トルクが発生して後扉Ｂの摺動を減速させる構造になっている。
【００２４】
さて一方、特に、上述した連動式引吊戸装置には、下部側に、図１〜図３に示すように、開閉操作時に引戸１０の下部側が横振れしないように案内するガイド機構Ｇを備える。
【００２５】
本発明によるガイド機構Ｇは、たとえば上記スライドレール単体ｒを１本用いて構成してなるスライドレールＲ３を備える。スライドレールＲ３は、アウターレール３０に対しインナーレール３１を下側にして引戸開閉方向に配置し、床面Ｆの引戸収容位置Ｄにねじで固着する。上側のアウターレール３１上には、その前端部、即ち戸先側に短軸４４を立設し、短軸４４上に、ガイドローラ４５を水平にして回転自在に取り付けている。ガイドローラ４５は、前扉Ａの下框部１３に有するガイド溝１９に転動自在に係合させ、そのガイドローラ位置を、前扉Ａのスライド動作に応じて開閉方向前後に移動可能に構成してなる。
【００２６】
さて、上述した構成の連動式引吊戸装置を作動し、引戸収容位置Ｄに収容状態の引戸１０をスライドさせて開口部Ｓを閉止する場合は、まず前扉Ａを、取っ手ｇを持って引き出す。すると、前扉Ａは、上部側において、戸車１７が走行用ガイドレール３５上を転動し、そのガイドレール３５の案内で直線的にスライドすると同時に、下部側において、ガイド溝１９内のガイドローラ４５で横振れを規制しながら、ガイド機構Ｇで案内して直線的にスライドする。
【００２７】
このとき、前扉Ａは、特に後扉Ｂとの関係では、上下のスライドレールＲ１・Ｒ２を介して後扉Ｂと相互に連結状態で一体に摺動し、スライドレールＲ１・Ｒ２によっても横振れを起すことなく、直線的に案内されて引き出される。即ち、上框部１２において、スライドレールＲ１の一体インナーレール３３・３３′に対し上側のアウターレール３０が摺動し、次いで後扉Ｂに固定した下側のアウターレール３０′に対し一体のインナーレール３１・３１′が順次前方へ摺動して伸長する。下框部１３においては、スライドレールＲ２の一体インナーレール３３・３３′に対し下側のアウターレール３０′が摺動し、次いで後扉Ｂに固定した上側のアウターレール３０に対し一体インナーレール３１・３１′が順次前方へ摺動して伸長する。
【００２８】
このように前扉Ａが引き出される一方、後扉Ｂは、上下の框部２１・２２において、スライドレールＲ１・Ｒ２が最大に伸長し、ボールリテナー３２の前端がアウターレール３０とインナーレール３１のストッパ折曲片に順次突き当たると、前扉Ａのスライドに対し連動し、少し遅れたタイミングで引き出される。このとき、後扉Ｂは、上部側において、戸車２８が走行用ガイドレール３５上を転動し、そのガイドレール３５の案内で直線的にスライドする。それと同時に、特に前扉Ｂとの関係では、上下のスライドレールＲ１・Ｒ２を介して前扉Ａと一体な連結状態で摺動し、スライドレールＲ１・Ｒ２によっても、横振れを起すことなく直線的に案内されて引き出される。
【００２９】
こうして後扉Ｂが閉止方向に引き出されるときは、戸車２８の回転が歯車２８ａ・４０ｃの噛み合いを介して伝達されて、制動手段４０が作動する。そして、制動手段４０のロータが回転すると、それに応じシリコンオイルの粘性抵抗により制動トルクが発生して戸車２８の回転を減速し、後扉Ｂを前扉Ａより遅い速度でスライドさせる。
【００３０】
一方、前扉Ａは、スライド途中において、ガイドローラ４５が下框部１３の後端側に有する上記ストッパ折曲片１３ｄに突き当たると、スライドレールＲ３のアウターレール３０がスライドして引き出され、床面Ｆ上に固定のインナーレール３１に対して閉止方向へ伸長する。すると、アウターレール３０が伸長するに従い、戸先側のガイドローラ４５が閉止方向前方へ移動する。そして、ガイドローラ４５は、アウターレール３０のストッパ折曲片３０ｂがボールリテナー３２の端部に突き当たるまで前方位置へと移動する。
【００３１】
したがって、前扉Ａは、引続きスライドするとき、下部側において、閉止方向前方へ移動したガイドローラ４５により横振れを規制しながら案内されて、直線的に引き出されていく。こうして前扉Ａと後扉Ｂとが順次連動し、図７および図８に示すように直線的に引き出され、開口部Ｓを閉止する。
【００３２】
さて反対に、開口部Ｓの開時は、前扉Ａを、取っ手ｇを持って引き戻すと、上述した閉時と同様に、前扉Ａは、上部側において、戸車１７が走行用ガイドレール３５上で転動し、そのガイドレール３５の案内で直線的にスライドすると同時に、下部側において、ガイド溝１９内のガイドローラ４５で横振れを規制しながら、ガイド機構Ｇで案内して直線的にスライドする。
【００３３】
このときも、前扉Ａは、特に後扉Ｂとの関係では、上下のスライドレールＲ１・Ｒ２を介して後扉Ｂと相互に連結状態で一体に摺動し、スライドレールＲ１・Ｒ２によっても横振れを起すことなく、直線的に案内されて引き戻される。即ち、上框部１２において、スライドレールＲ１の一体インナーレール３３・３３′に対し上側のアウターレール３０が摺動し、次いで後扉Ｂに固定した下側のアウターレール３０′に対し一体のインナーレール３１・３１′が摺動する。下框部１３においては、スライドレールＲ２の一体インナーレール３３・３３′に対し下側のアウターレール３０′が摺動し、次いで後扉Ｂに固定した上側のアウターレール３０に対し一体インナーレール３１・３１′が摺動する。
【００３４】
こうして前扉Ａが引き戻される一方、後扉Ｂは、上下の框部２１・２２において、スライドレールＲ１・Ｒ２の上下アウターレール３０・３０′と一体インナーレール３１・３１′とが完全に重なり相互のストッパ折曲片が突き当り状態なると、前扉Ａのスライドに対し連動し、少し遅れたタイミングで摺動し始める。そして、上述した閉時の場合と同様に、上記制動手段４０で減速されて前扉Ａより遅い速度でスライドしながら引き戻される。このとき、後扉Ｂは、上部側において、戸車２８が走行用ガイドレール３５上を転動し、そのガイドレール３５の案内で直線的にスライドする、それと同時に、特に前扉Ａとの関係では、上下のスライドレールＲ１・Ｒ２を介して前扉Ａと一体な連結状態で摺動し、スライドレールＲ１・Ｒ２によっても横振れを起すことなく、直線的に案内されて引き戻される。
【００３５】
さて一方、引き戻される前扉Ａは、そのスライド途中において、ガイドローラ４５が、下框部１３の前端側に有する上記ストッパ折曲片１３ｃに突き当たると、スライドレールＲ３のアウターレール３０が床面Ｆ上に固定のインナーレール３１と重なる方向へスライドして引き戻される。したがって、前扉Ａは、その後、引続きスライドするときも、下部側において、ガイド溝１９内のガイドローラ４５で横振れを規制されながら案内され、直線的に引き戻される。こうして前扉Ａと後扉Ｂとが順次連動し、図２および図３に示すように引戸収容位置Ｄへと引き戻され、開口部Ｓを開放する。
【００３６】
ところで、上述した引戸１０のガイド機構Ｇは、スライドレールＲ３を床面Ｆ上の引戸収容位置Ｄに固着し、そのスライドレールＲ３上にガイドローラ４５を上向きに取り付けて、ガイドローラ位置を、前扉Ａのスライド動作に応じて開閉方向前後に移動する構成にした。しかし、本発明におけるガイド機構Ｇは、上記図示例の構成に限らず、以下の図示実施の形態に示す如く、スライドレールＲ３を、反対に前扉Ａの下框部１３側に固着し、そのスライドレールＲ３にガイドローラ４５を下向きに取り付けて、同様にガイドローラ位置を、前扉Ａのスライド動作に応じて開閉方向前後に移動する構成にすることもできる。
【００３７】
図示他例のガイド機構Ｇにおいて、スライドレールＲ３は、たとえば図９および図１０に示すように、前扉Ａのガイド溝１９内にアウターレール３０を下向きに配置し、上側のインナーレール３１を下框部１３の外面にねじで固着する。そして、アウターレール３０の後端部、即ち戸尻側に短軸４４を下向きに垂設し、短軸４４の下端に、ガイドローラ４５を水平な向きで回転自在に取り付ける。一方、床面Ｆ上には、引戸収容位置Ｄにガイドケース５０を壁Ｗに沿って引戸開閉方向に固着する。ガイドケース５０は、図中上側を開放した断面溝状の長尺な箱形に曲げ成形してなる。そして、前扉Ａの吊持状態で、ガイドケース５０内に形成されるガイド溝５１に、スライドレールＲ３側のガイドローラ４５を転動自在に係合し、ガイドローラ位置を、前扉Ａのスライド動作に応じて開閉方向前後に移動可能に構成する。
【００３８】
そこで、図示他例のガイド機構Ｇでは、開口部Ｓの閉時、前扉Ｂが引き出され、遅れて後扉Ｂがスライドすると、それに従ってガイドケース５０のガイド溝５１内をガイドローラ４５が転動しながら閉止方向前方へ移動し、前扉Ａを、スライドレールＲ１・Ｒ２で連結状態の後扉Ｂと共に、下部側の横振れを規制しながら、直線的に案内する。さらに、前扉Ａが引続きスライドすると、それに従って前扉Ａに固定のインナーレール３１がアウターレール３０に対しスライドして伸長し、この伸長したスライドレールＲ３を介しガイドローラ４５で引続き横振れを規制しながら、両扉Ａ・Ｂを直線的に案内する。そして、ガイドローラ４５がガイドケース５０の前端部５０ａに突き当たる最先のガイドローラ位置へ移動するまで、即ち図１１に示すように開口部Ｓが閉止されるまで、両扉Ａ・Ｂの下部側を直線的に案内する。
【００３９】
図示他例のガイド機構Ｇでは、スライドレールＲ３をスライドレール単体ｒの１本で形成したが、たとえばスライドレール単体ｒを２本用い、上記図５に示すような２段スライド構成のダブルスライドレールを用いて構成することもできる、これにより、スライドレールＲ３のスライドストロークを長くし、ガイドローラ位置が、より閉止方向前方へ移動するように構成することもできる。
【００４０】
また、図示他例のガイド機構Ｇでは、ガイド機構ＧのスライドレールＲ３として、アウターレール３０とインナーレール３１とを、ボールリテナー３２で保持した多数のボール３３を介し係合して連結した構造のものを使用したが、本発明では、上下にレール体をスライド可能に重ねて一側のレール体に対し他側のレール体を伸縮自在に連結したスライドレールであれば、上記した図示例以外のものを除外するものではない。
【００４１】
なお、以上には、引戸１０の前扉Ａと後扉Ｂが収納式の連動式引吊戸装置を例示して説明したが、本発明におけるガイド機構Ｇは、前扉と後扉を横に重ねて配列した引戸を連動的にスライドさせる場合など、他の連動式引吊戸の案内構造としても適用することができるのは、勿論である。
【００４２】
【発明の効果】
本発明によれば、連動式引吊戸装置において、引戸の下部側を案内するガイド機構を、スライドレールにガイドローラを取り付けて、ガイドローラ位置を、前扉のスライド動作に応じて開閉方向前後に移動可能に構成し、引戸の閉止時は、前扉のスライドに従ってスライドレールのレール体が摺動すると、ガイドローラが閉止方向前方へ移動するため、その前方に移動するガイドローラで前扉を直線的に案内することができ、これにより、横振れを規制しながら引戸をスムーズに摺動させることができ、その結果、引戸の開閉操作性を一段と向上させることができる。
【００４３】
また、引戸のガイド機構において、床面側に固定のスライドレール又はガイドケースは、通行の妨げにならない開口部から離れた引戸収容位置に固着して引戸を案内する構成にするため、従来の如く敷居部に複数のガイドレールを敷設するなどの手間をなくしてガイド機構の組付けを簡単にし、しかも、開口部でのバリアフリー化の要請に十分に応えることもできる。
【図面の簡単な説明】
【図１】  本発明の一例である連動式引吊戸装置を引戸開状態において示す縦断面図である。
【図２】  その斜視図である。
【図３】  その正面図である。
【図４】  スライドレール単体の構造を示す斜視図である。
【図５】  スライドレールのダブルスライドレール構造を示す斜視図である。
【図６】  後扉に搭載した制動手段を備える吊車体の斜視図である。
【図７】  連動式引吊戸装置を引戸閉状態において示す斜視図である。
【図８】  その正面図である。
【図９】  他のガイド機構を備える連動式引吊戸装置を引戸開状態において示す縦断面図である。
【図１０】  その斜視図である。
【図１１】  他例の連動式引吊戸装置を引戸閉状態において示す斜視図である。
【図１２】  従来の連動式引吊戸装置を示す側面図である。
【図１３】  従来の連動式引吊戸装置における引戸の横振れ状態を説明する平面図である。
【符号の説明】
Ａ                前扉
Ｂ                後扉
Ｄ                引戸収容位置
Ｆ                床面
Ｇ                ガイド機構
Ｒ１・Ｒ２・Ｒ３  スライドレール
Ｓ                開口部
１０              引戸
１２・２１        上框部
１３・２２        下框部
１９・５１        ガイド溝
３０・３０′      アウターレール
３１              インナーレール
４５              ガイドローラ
５０              ガイドケース
【図１】
0003722479.tif 000002
【図２】
0003722479.tif 000003
【図３】
0003722479.tif 000004
【図４】
0003722479.tif 000005
【図５】
0003722479.tif 000006
【図６】
0003722479.tif 000007
【図７】
0003722479.tif 000008
【図８】
0003722479.tif 000009
【図９】
0003722479.tif 000010
【図１０】
0003722479.tif 000011
【図１１】
0003722479.tif 000012
【図１２】
0003722479.tif 000013
【図１３】
0003722479.tif 000014